(57)【要約】【課題】雷撃時に放出される消弧ガスの逆流を抑制するとともに、風による塵埃、塩等の侵入を抑制する耐雷カットアウト用汚損防止部材を提供する。【解決手段】外側防止板５３に各溝６１，６２ａ〜６２ｆが形成されることで、雷撃に伴うヒューズ筒４０の下端から放出される消弧ガスによって外側防止板５３が破断する。従って、消弧ガスは外側防止板５３の破断した部分からその外側に放出される。これにより、雷撃に伴ってヒューズ筒４０の下端から放出された消弧ガスが外側防止板５３の内面に当たることによってヒューズ筒４０及び耐雷カットアウト１の内部に押し戻されることを抑制できる。ひいては、消弧ガスによってヒューズ筒４０及び耐雷カットアウト１の内部が汚損されることを抑制できる。【選択図】図１
2013196962.tif 000002
【特許請求の範囲】
【請求項１】
耐雷カットアウトの本体碍子に取り付けられる本体板と、
前記本体板と一体で前記本体板の上縁に対して前記カットアウトの内側に折り曲げ形成される内側防止板と、
前記本体板と一体で前記本体板の下縁に対して前記カットアウト側に折り曲げ形成されるとともに、前記耐雷カットアウトの下方から突出するヒューズ筒の下端に対面する外側防止板と、を備えた耐雷カットアウト用汚損防止部材において、
前記外側防止板の内面又は外面には、雷撃に伴う短絡電流遮断時に前記ヒューズ筒の下端から放出される消弧ガスによって、前記外側防止板を破断させる溝が形成された
ことを特徴とする耐雷カットアウト用汚損防止部材。
【請求項２】
請求項１に記載の耐雷カットアウト用汚損防止部材において、
前記溝は、前記外側防止板の内面又は外面の少なくとも一方に、
前記ヒューズ筒の下端から放出される消弧ガスを受ける特定の領域を区画して形成される
ことを特徴とする耐雷カットアウト用汚損防止部材。
【請求項３】
請求項１又は２に記載の耐雷カットアウト用汚損防止部材において、
前記溝は、前記外側防止板の内面又は外面の少なくとも一方に複数形成される
ことを特徴とする耐雷カットアウト用汚損防止部材。
【請求項４】
請求項１〜３の何れか一項に記載の耐雷カットアウト用汚損防止部材において、
前記溝は、前記外側防止板の先端側の一辺が省略された矩形状に形成される外側溝と、
前記外側溝の内側に形成される複数の内側溝と、を備える
ことを特徴とする耐雷カットアウト用汚損防止部材。
【請求項５】
請求項４に記載の耐雷カットアウト用汚損防止部材において、
前記外側溝及び前記内側溝のうち前記外側防止板の先端側に延びる溝は、前記外側防止板の先端面まで形成されている
ことを特徴とする耐雷カットアウト用汚損防止部材。
【請求項６】
請求項１〜５の何れか一項に記載の耐雷カットアウト用汚損防止部材において、
前記本体板には一対の取付孔が形成され、前記耐雷カットアウトの本体碍子には、前記両取付孔に対応する固定孔が形成され、
前記本体板及び前記耐雷カットアウトは、互いの前記取付孔および固定孔が対応した状態において前記各孔を通過する固定部材により固定される
ことを特徴とする耐雷カットアウト用汚損防止部材。
【発明の詳細な説明】
【技術分野】
【０００１】
この発明は、耐雷カットアウト用汚損防止部材に関する。
【背景技術】
【０００２】
従来、柱上変圧器の一次側には、過電流及び短絡電流に対して、柱上変圧器を保護する耐雷カットアウトが設けられている。耐雷カットアウトは、雷撃に伴う短絡電流をアースに流す避雷ユニットを内蔵している（例えば、特許文献１参照）。
【０００３】
図８（ａ）に示すように、耐雷カットアウトは、本体碍子１０１に対して蓋体碍子１３０が開閉可能に箱型形状に構成されている。蓋体碍子１３０は、ヒューズ筒１４０を着脱可能に保持している。そのヒューズ筒１４０の下端には、蓋体碍子１３０に対して下側に突出する表示筒１４１が備えられている。ヒューズ筒１４０の内部には、ヒューズエレメント１４５、消弧材料１４６、及びヒューズリード線（図示しない）よりなるヒューズ１４０ａが着脱可能に装着されている。
【０００４】
配電系統の故障により過電流等が発生した場合、ヒューズエレメント１４５が溶断される。そして、この溶断されたヒューズエレメント１４５でアークが生じる。このアークによって瞬時に消弧材料１４６から消弧ガスが発生し、アークは消弧される。この消弧ガスは、ヒューズ筒１４０の表示筒１４１から外部に放出される。
【０００５】
また、本体碍子１０１には、表示筒１４１を介してヒューズ筒１４０内や本体碍子１０１内部に雨水が侵入することを防止する侵入防止板１５０が取り付けられている（例えば、特許文献２参照）。
【０００６】
さらに、図８（ｂ）に示される侵入防止板１５１には外側防止板１５２が設けられている（例えば、特許文献３参照）。外側防止板１５２は、その内面が表示筒１４１の下端に対向するように形成されている。この外側防止板１５２によって、下方向から吹き付ける風に含まれる塵埃、塩等がヒューズ筒１４０内や本体碍子１０１内部へ侵入することを抑制する。よって、塵埃、塩等によるヒューズ筒１４０内や本体碍子１０１内部の汚損が抑制される。
【先行技術文献】
【特許文献】
【０００７】
【特許文献１】特公平６−４２３４５号公報
【特許文献２】実用新案登録２５１０３５３号公報
【特許文献３】意匠登録８８３７４２号公報
【発明の概要】
【発明が解決しようとする課題】
【０００８】
ところで、耐雷カットアウトにおいて、雷撃に伴って生じるアークの電圧は、通常の過電流発生時のアークに比べて高圧となる。このため、雷撃に伴ってヒューズ筒１４０の内部でアークが発生すると、表示筒１４１から瞬時に高温かつ高圧の消弧ガスが放出される。このため、この消弧ガスが上記侵入防止板１５１における外側防止板１５２の内面に当たって、ヒューズ筒１４０内や本体碍子１０１の内部に逆流し、本体碍子１０１の内部やヒューズ筒１４０内等が消弧ガスにより汚損するおそれがあった。そこで、雷撃時にカットアウトの下端から放出される消弧ガスの逆流を抑制する耐雷カットアウト用汚損防止部材が求められていた。
【０００９】
この発明は、こうした実情に鑑みてなされたものであり、その目的は、雷撃時に放出される消弧ガスの逆流を抑制するとともに、風による塵埃、塩等の侵入を抑制する耐雷カットアウト用汚損防止部材を提供することにある。
【課題を解決するための手段】
【００１０】
以下、上記目的を達成するための手段及びその作用効果について説明する。
請求項１に記載の発明は、耐雷カットアウトの本体碍子に取り付けられる本体板と、前記本体板と一体で前記本体板の上縁に対して前記カットアウトの内側に折り曲げ形成される内側防止板と、前記本体板と一体で前記本体板の下縁に対して前記カットアウト側に折り曲げ形成されるとともに、前記耐雷カットアウトの下方から突出する前記ヒューズ筒の下端に対面する外側防止板と、を備えた耐雷カットアウト用汚損防止部材において、前記外側防止板の内面又は外面には、雷撃に伴う短絡電流遮断時に前記ヒューズ筒の下端から放出される消弧ガスによって、前記外側防止板を破断させる溝が形成されたことをその要旨としている。
【００１１】
同構成によれば、外側防止板に溝が形成されることで、雷撃に伴うヒューズ筒の下端から放出される消弧ガスによって外側防止板が破断する。従って、消弧ガスは外側防止板が破断した部分から外側に放出される。これにより、雷撃に伴ってヒューズ筒の下端から放出された消弧ガスが外側防止板の内面に当たることによってヒューズ筒及び耐雷カットアウトの内部に押し戻される（逆流する）ことを抑制できる。ひいては、消弧ガスによってヒューズ筒及び耐雷カットアウトの内部が汚損されることを抑制できる。
【００１２】
なお、溝を外側防止板の内面に形成した際には、雷撃に伴う消弧ガスを溝に集中させることができるため、外側防止板を溝に沿ってより確実に破断させることができる。
請求項２に記載の発明は、請求項１に記載の耐雷カットアウト用汚損防止部材において、前記溝は、前記外側防止板の内面又は外面において、前記ヒューズ筒の下端から放出される消弧ガスを受ける特定の領域を区画して形成されることをその要旨としている。
【００１３】
同構成によれば、溝によって外側防止板の内面又は外面における特定の領域が区画される。よって、雷撃に伴って生じる消弧ガスによって外側防止板を、溝に沿って破断させることで上記領域に応じた細片とすることができる。
【００１４】
請求項３に記載の発明は、請求項１又は２に記載の耐雷カットアウト用汚損防止部材において、前記溝は、前記外側防止板の内面又は外面に複数形成されることをその要旨としている。
【００１５】
同構成によれば、雷撃に伴って生じる消弧ガスによって外側防止板を、溝に沿って破断させることで細片とすることができる。
請求項４に記載の発明は、請求項１〜３の何れか一項に記載の耐雷カットアウト用汚損防止部材において、前記溝は、前記外側防止板の先端側の一辺が省略された矩形状に形成される外側溝と、前記外側溝の内側に形成される複数の内側溝と、を備えることをその要旨としている。
【００１６】
同構成によれば、外側溝は外側防止板の先端側の一辺が省略された矩形状に形成される。従って、外側防止板における外側溝の両側部には溝が形成されていないことになる。このため、雷撃に伴って生じる消弧ガスによって上記両側部と両側部間の外側溝とが破断することで外側防止板が２つに分割されることが抑制される。よって、より確実に外側防止板を細片化することができる。
【００１７】
請求項５に記載の発明は、請求項４に記載の耐雷カットアウト用汚損防止部材において、前記外側溝及び前記内側溝のうち前記外側防止板の先端側に延びる溝は、前記外側防止板の先端面まで形成されていることをその要旨としている。
【００１８】
同構成によれば、消弧ガスの放出により外側防止板を凹状に変形させ易くなる。これにより、消弧ガスがヒューズ筒及び耐雷カットアウトの内部に押し戻されること、ひいてはそれらが消弧ガスにより汚損されることが抑制される。
【００１９】
請求項６に記載の発明は、請求項１〜５の何れか一項に記載の耐雷カットアウト用汚損防止部材において、前記本体板には一対の取付孔が形成され、前記耐雷カットアウトの本体碍子には、前記両取付孔に対応する固定孔が形成され、前記本体板及び前記耐雷カットアウトは、互いの前記取付孔および固定孔が対応した状態において前記各孔を通過する固定部材により固定されることをその要旨としている。
【００２０】
同構成によれば、汚損防止部材における本体板は、耐雷カットアウトに対して固定部材によって固定される。これにより、雷撃に伴って生じる消弧ガスによって、本体板が耐雷カットアウトから外れることが抑制される。
【発明の効果】
【００２１】
本発明によれば、耐雷カットアウトにおいて、雷撃時に放出される消弧ガスの逆流を抑制するとともに、風による塵埃、塩等の侵入を抑制することができる。
【図面の簡単な説明】
【００２２】
【図１】汚損防止部材が装着された耐雷カットアウトの断面図。
【図２】汚損防止部材の背面図。
【図３】汚損防止部材の上面図。
【図４】汚損防止部材の斜視図。
【図５】（ａ）は図３の部分断面図、（ｂ）は（ａ）において消弧ガスを受けたことで破断した状態を示した断面図。
【図６】（ａ）〜（ｆ）は汚損防止部材の外側防止部を示す図。
【図７】（ａ）〜（ｆ）は汚損防止部材の外側防止部を示す図。
【図８】（ａ）（ｂ）従来の汚損防止部材が装着された耐雷カットアウトの断面図。
【発明を実施するための形態】
【００２３】
以下、本発明にかかる耐雷カットアウト用汚損防止部材を具体化した一実施形態について図１〜図５を参照して説明する。
図１に示すように、耐雷カットアウト１は、腕金等に固定される固定部品５によって柱上変圧器の近傍に取り付けられている。耐雷カットアウト１は、重力方向（図１の上下方向）に対して傾斜した態様で取り付けられている。耐雷カットアウト１は、固定部品５に取り付けられる本体碍子１０と、本体碍子１０に対して開閉可能な蓋体碍子３０と、を備える。耐雷カットアウトは、本体碍子１０に対して蓋体碍子３０が開閉可能に箱型形状に構成されている。
【００２４】
また、本体碍子１０には、同図の右斜め下側に開口する凹部１１が形成されている。この凹部１１は、その中央部に形成される隔壁１２で上下方向に区画される。これにより、凹部１１には上部電極室１３及び下部電極室１４がそれぞれ形成される。
【００２５】
上部電極室１３には上部固定電極１５が設けられている。下部電極室１４には下部固定電極１６が設けられている。また、本体碍子１０の凹部１１の開口側と反対側には避雷ユニット２０が設けられている。また、本体碍子１０の下端側には、支持軸１８が設けられ、支持軸１８に対して蓋体碍子３０の回動部３１が相対回転可能に設けられている。蓋体碍子３０の下端には、開口部３５が形成されている。
【００２６】
蓋体碍子３０には着脱可能なヒューズ筒４０が設けられている。ヒューズ筒４０には、上部電極金具４１及び下部電極金具４２が取り付けられている。蓋体碍子３０が閉じられた状態において、上部電極金具４１は本体碍子１０の上部固定電極１５に対応して位置し、下部電極金具４２は本体碍子１０の下部固定電極１６に対応して位置する。
【００２７】
両電極金具４１，４２は、両固定電極１５，１６にそれぞれ挟入可能に突出した一対の接触端子４３ａ，４３ｂを備える。ヒューズ筒４０の内部には、ヒューズエレメント４４ａ、消弧材料４４ｂ、及びヒューズリード線（図示しない）よりなるヒューズ４４が着脱可能に装着されている。
【００２８】
両電極金具４１，４２はヒューズ４４を通じて導通状態とされている。これにより、両固定電極１５，１６を、ヒューズ筒４０を通じて導通状態とすることができる。また、ヒューズ筒４０におけるヒューズ４４の外周には絶縁筒４５が設けられている。
【００２９】
また、ヒューズ筒４０の下端部には表示筒４８が設けられている。この表示筒４８は、本体碍子１０が閉じられた状態において、蓋体碍子３０の開口部３５から下側に若干突出している。表示筒４８は、過電流又は短絡電流の遮断時にアークによってヒューズ筒４０内部に瞬時に生じた消弧ガスを、外部に放出する。
【００３０】
本体碍子１０の支持軸１８の近傍には、回動部３１及び開口部３５を覆うように取付部３６が突設されている。
図１に示すように、本体碍子１０の取付部３６の下側には、汚損防止部材５０が取り付けられている。汚損防止部材５０は、蓋体碍子３０が閉じた状態では、蓋体碍子３０の回動部３１及び表示筒４８の突出端を覆うように配置されている。
【００３１】
汚損防止部材５０は、本体碍子１０に取り付けられる本体板５１と、本体板５１に対して本体碍子１０の内側に折り曲げられる内側防止板５２と、本体板５１に対して表示筒４８側に折り曲げられて表示筒４８の下端に対面する外側防止板５３とから構成される。本体板５１と内側防止板５２と外側防止板５３とは一体に形成されている。汚損防止部材５０は、所定の厚さの耐候性の高いゴム材料にて弾性変形可能に形成されており、本体板５１の本体碍子１０の取付部３６に当接する部分には、厚肉部５１ｃが形成されている。
【００３２】
図２に示すように、本体板５１の厚肉部５１ｃには、同図の左右方向に並ぶ一対の取付孔５１ａ，５１ｂが形成されている。図１に破線で示すように、取付部３６にも、これら取付孔５１ａ，５１ｂに対応する一対の固定孔３６ａ，３６ｂが形成されている。
【００３３】
本体板５１は、結束バンド等の固定部材３７によって取付部３６に固定される。詳しくは、取付部３６の各固定孔３６ａ，３６ｂと本体板５１の各取付孔５１ａ，５１ｂとの位置が合わされた状態で、取付孔５１ａと固定孔３６ａ、取付孔５１ｂと固定孔３６ｂとに固定部材３７が円環状になるよう貫挿させる。そして、固定部材３７を締め付けることにより、本体板５１及び取付部３６が固定される。また、本体板５１の横幅（図２の左右方向の幅）は、耐雷カットアウト１の内部に差し込む部分については、耐雷カットアウト１の内幅に対応して形成されるとともに、耐雷カットアウト１の外部に突出する部分は、耐雷カットアウト１の外形横幅と同等の横幅となるよう形成されている。
【００３４】
図１に示すように、内側防止板５２は、本体板５１の上端に対してヒューズ筒４０側に折り曲げられている。図３に示すように、内側防止板５２の先端側には、ヒューズ筒４０の周面の一部に対応した凹状の切欠部５２ａが形成されている。また、内側防止板５２の横幅は、耐雷カットアウト１の内幅に対応する大きさで形成されている。この内側防止板５２により、塵埃、塩等によるヒューズ筒４０内や本体碍子１０内部の汚損が抑制される。
【００３５】
図１に示すように、外側防止板５３は、本体板５１の下端側に対してヒューズ筒４０側に折り曲げられている。外側防止板５３は、その内面が表示筒４８の下端面に対向する位置まで形成されるとともに、表示筒４８の下端面に隙間を形成する位置まで形成されている。また、外側防止板５３は、耐雷カットアウト１の横幅と同等の外形横幅に形成されるとともに、耐雷カットアウト１の下方向から見て表示筒４８の先端部を覆うような長さに先端の端面が形成されている。そして、外側防止板５３は、耐雷カットアウト１の側面方向から見て表示筒４８の側部を覆っていない。
【００３６】
図３に示すように、外側防止板５３の内面には、横方向（同図の左右方向）に延びる第１の溝６１と、縦方向（同図の上下方向）に延びる複数本（本例では６本）の第２の溝６２ａ〜６２ｆとが形成されている。
【００３７】
図５（ａ）に示すように、各第２の溝６２ａ〜６２ｆは断面凹状に形成されている。第１の溝６１は第２の溝６２ａ〜６２ｆと同様の形状である。外側防止板５３における各溝６１，６２ａ〜６２ｆの底面部分の厚さは、雷撃に伴う短絡電流を遮断する際に表示筒４８から放出される消弧ガスによって破断し、通常の過電流等を遮断する際に表示筒４８から放出される消弧ガスによっては破断しない程度に設定されている。
【００３８】
図３に示すように、各第２の溝６２ａ〜６２ｆの一端は、外側防止板５３の先端側の端面に達する位置まで形成されている。各第２の溝６２ａ〜６２ｆの他端は、外側防止板５３において本体板５１に対して一定距離Ｋ１だけ離れた位置まで形成されている。
【００３９】
各第２の溝６２ａ〜６２ｆは、図３の左右方向に所定間隔毎に並んでいる。本例では、この間隔は、外側防止板５３の中央に近づくほど小さくなるように形成されている。
第１の溝６１は、各第２の溝６２ａ〜６２ｆの他端に接している。また、第１の溝６１の両端部は、最も外側に形成される第２の溝６２ａ，６２ｆにそれぞれ接続される。すなわち、第１の溝６１の両端部は、外側防止板５３における図３の上下方向に延びる端面に対して一定距離Ｋ２だけ離間している。
【００４０】
そして、図４に示すように、第１の溝６１と、第２の溝６２ａ〜６２ｆのうち最も外側に位置する一対の第２の溝６２ａ，６２ｆとで、外側溝６５が構成される。この外側溝６５は、外側防止板５３の厚さ方向からみて、外側防止板５３の先端側の一辺が省略された矩形状である。この外側溝６５に囲まれた区画には４本の第２の溝６２ｂ〜６２ｅからなる内側溝６６が形成されている。この外側溝６５に囲まれた区画内であって、内側溝６６に区切られた部分となる破断片６０ａ〜６０ｅ（本例では５片）が、高圧の消弧ガスを受けて破断する破断部６０である。
【００４１】
ここで、図４に示される本体板５１と外側防止板５３とによって形成される角度Ｃは鋭角であるのに対して、図１に示される同角度Ｂは鈍角である。これは、図１においては、下方に作用する重力によって外側防止板５３の先端側が下方に開くからである。換言すると、重力の影響を受けたうえで、外側防止板５３の内面が表示筒４８に対向するように、予め本体板５１と外側防止板５３とによって形成される角度Ｂは小さく設定される。
【００４２】
図１及び図２に示すように、汚損防止部材５０には、本体板５１及び外側防止板５３の外面に沿う凸条の補強部５５が形成されている。補強部５５の凸条は、テーパにより台形状に形成されている。この補強部５５は、図２の左右方向に２つ配置されている。また、凸条の両補強部５５,５５は、本体板５１の横幅の大きさが変わる位置の近傍から外側防止板５３の破断片６０ａ，６０ｅの中央までそれぞれ連続形成されている。
【００４３】
この補強部５５は、本体板５１に対する外側防止板５３の角度を一定範囲に保つために設けられている。すなわち、この補強部５５によって、自重により外側防止板５３が表示筒４８に対向できない角度となることが抑制される。
【００４４】
汚損防止部材５０における本体板５１及び外側防止板５３によって、表示筒４８の突出端部が覆われている。これにより、下方向から吹き付ける風に含まれる塵埃、塩等が本体碍子１０内及びヒューズ筒４０内へ侵入することを抑制する。
【００４５】
以下、雷撃に伴う短絡電流発生時における上記汚損防止部材５０が装着された耐雷カットアウト１の作用について説明する。
雷撃に伴う短絡電流は、上部固定電極１５からヒューズ４４に流れる。これにより、ヒューズエレメント４４ａが溶断する。ヒューズエレメント４４ａが溶断すると、ヒューズエレメント４４ａにおける溶断部分にアークが発生する。このアークは、通常の過電流発生時のアークに比べて高圧となる。消弧材料４４ｂは、このアークによって加熱されることで瞬時に消弧ガスを発生する。この消弧ガスは、通常の過電流発生時に比べて大量に発生するため、ヒューズ筒４０内が高圧となる。この消弧ガスによってアークは消弧され、両固定電極１５，１６間が電気的に遮断される。ヒューズ筒４０内で発生した消弧ガスは、表示筒４８の下端を通じて外側防止板５３の内面に放出される。このとき、避雷ユニット２０は、雷撃に伴う短絡電流をアースに流す。これにより、雷撃に伴う短絡電流から耐雷カットアウト１及び柱上変圧器を保護することができる。
【００４６】
図５（ｂ）に示すように、表示筒４８の下端から放出された消弧ガスを外側防止板５３の内面が受けると破断部６０の破断片６０ａ〜６０ｅが優先的に破断する。これは、各溝６１，６２ａ〜６２ｆが形成されたことによって、それら溝に対応する部分における外側防止板５３の厚みが薄くなり、強度的に弱いからである。また、各溝６１，６２ａ〜６２ｆは、外側防止板５３の内面に形成されているため、各溝６１，６２ａ〜６２ｆ内に消弧ガスが集中することで、各溝６１，６２ａ〜６２ｆに消弧ガスによる負荷が加わり易くなるからである。これにより、外側防止板５３が各溝６１，６２ａ〜６２ｆに沿って破断され易くなる。
【００４７】
このように、外側防止板５３が破断されることで消失された破断部６０を通じて、表示筒４８からの消弧ガスを外側防止板５３の外に放出することができる。
図３に示すように、外側防止板５３の内面は各溝６１，６２ａ〜６２ｆによって特定の複数の領域（破断部６０）としての破断片６０ａ〜６０ｅに区画されている。すなわち、破断領域が形成されている。このため、外側防止板５３を各溝６１，６２ａ〜６２ｆに沿って破断させることで、外側防止板５３を複数の破断部６０に細片化することができる。
【００４８】
また、上述のように第１の溝６１は、外側防止板５３における図３の左右方向の全域に亘って形成されていない。すなわち、外側防止板５３において第１の溝６１の延長線上は、第１の溝６１に比して厚く形成されている。当該構成により、消弧ガスによって外側防止板５３が第１の溝６１を含む同図の左右方向に延びる直線に沿って２分割されることが抑制される。これにより、消弧ガスによって外側防止板５３が細片とされることなく、大きな破片のまま破断することが抑制される。
【００４９】
また、当該構成により、外側防止板５３が自重に伴う経年変形によって第１の溝６１に沿って折れ曲がることが抑制される。これにより、外側防止板５３を表示筒４８に対面した位置に維持することができ、汚損防止部材５０による汚損防止機能が確保される。
【００５０】
通常の過電流発生時には、表示筒４８から消弧ガスが発生するものの、その消弧ガスの温度及び圧力は上記雷撃時に比べて低い。よって、この場合には、外側防止板５３は破断しない。これにより、通常の過電流発生時に、汚損防止部材５０を交換する必要がない。
【００５１】
以上、説明した実施形態によれば、以下の効果を奏することができる。
（１）外側防止板５３に各溝６１，６２ａ〜６２ｆを形成することで、雷撃に伴うヒューズ筒４０の下端から放出される消弧ガスによって外側防止板５３が細片で破断することとなる。これにより、消弧ガスは外側防止板５３の破断した部分からその外側に放出される。よって、雷撃に伴ってヒューズ筒４０の下端から放出された消弧ガスが、外側防止板５３の内面に当たることによるヒューズ筒４０及び耐雷カットアウト１の内部への逆流を抑制できる。ひいては、消弧ガスによってヒューズ筒４０及び耐雷カットアウト１の内部が汚損されることを抑制できる。
【００５２】
また、汚損防止部材５０における外側防止板５３によって、表示筒４８の突出端部が覆われている。これにより、下方向から吹き付ける風及びそれに含まれる塵埃、塩等のヒューズ筒４０内への進入を抑制することができる。
【００５３】
（２）外側防止板５３に各溝６１，６２ａ〜６２ｆを形成し、外側防止板５３の内面における特定の領域が破断部６０として区画するようにした。ここで、破断部６０は、ヒューズ筒４０の下端から放出される消弧ガスを受ける領域に形成されている。よって、雷撃に伴う消弧ガスによって外側防止板５３を、各溝６１，６２ａ〜６２ｆに沿って破断片６０ａ〜６０ｅに破断させることで、複数の破断部６０に細片化することができる。
【００５４】
（３）外側防止板５３の内面に各溝６１，６２ａ〜６２ｆを形成するようにした。これにより、雷撃に伴う消弧ガスを各溝６１，６２ａ〜６２ｆに集中させることができる。従って、より確実に外側防止板５３を各溝６１，６２ａ〜６２ｆに沿って破断させるとともに、細片化することができる。
【００５５】
（４）第１の溝６１と、第２の溝６２ａ，６２ｆとにより外側溝６５を形成し、外側溝６５に囲まれた区画内に第２の溝６２ｂ〜６２ｅからなる内側溝６６を形成した。これにより、より確実に外側防止板５３を細片化することができる。また、外側防止板５３の部分を軽量化できる。
【００５６】
（５）外側防止板５３の外側溝６５を外側防止板５３の先端側の一辺が省略された矩形状に形成するようにした。すなわち、外側防止板５３における外側溝６５の両側部（図３の一定距離Ｋ２の部分）には溝を形成していない。このため、雷撃に伴う消弧ガスによって第１の溝６１及び上記両側部に沿って外側防止板５３が破断することは抑制される。よって、より確実に外側防止板５３を細片化することができる。また、耐雷カットアウト１の設置状態において、外側防止板５３が自重に伴う経年変形によって溝６１に沿って折れ曲がることが抑制される。すなわち、外側防止板５３における外側溝６５の両側部には溝を形成していないので、変形して垂れ下がることはない。
【００５７】
（６）外側防止板５３の先端面まで第２の溝６２ａ〜６２ｆを形成するようにした。このため、消弧ガスの放出により外側防止板５３を凹状に変形させ易くなる。これにより、消弧ガスがヒューズ筒４０及び耐雷カットアウト１の内部に押し戻されること、ひいてはそれらが消弧ガスにより汚損されることが抑制される。
【００５８】
（７）外側防止板５３における各溝６１，６２ａ〜６２ｆの底面部分の厚さを、雷撃に伴う消弧ガスによって破断し、通常の過電流等を遮断する際の消弧ガスによっては破断しない程度に設定している。このため、雷撃に伴う消弧ガスによって確実に破断させることができるとともに、通常の過電流発生時には破断しないので、汚損防止部材５０を交換する必要がなくなる。
【００５９】
（８）汚損防止部材５０における本体板５１には、一対の取付孔５１ａ，５１ｂが形成され、耐雷カットアウト１には、両取付孔５１ａ，５１ｂに対応する固定孔３６ａ，３６ｂが形成されている。本体板５１及び耐雷カットアウト１は、互いの取付孔５１ａ，５１ｂと固定孔３６ａ，３６ｂが対応した状態において取付孔５１ａ，５１ｂおよび固定孔３６ａ，３６ｂを通過する固定部材３７によって固定されている。
【００６０】
すなわち、汚損防止部材５０における本体板５１は、耐雷カットアウト１に対して固定部材３７によって固定される。これにより、雷撃に伴って生じる消弧ガスによって、本体板５１が耐雷カットアウト１から外れることが抑制される。
【００６１】
ちなみに、上記背景技術における特許文献２に記載されるように本体板５１に一対の突起を設けて、その両突起を耐雷カットアウト１の取付部３６の固定孔３６ａ，３６ｂに差込嵌合させる構成とすることもできるが、雷撃に伴って生じる消弧ガスによって、この両突起が固定孔３６ａ，３６ｂから脱落したり、破断することにより耐雷カットアウト１から汚損防止部材５０が外れたりするおそれがある。
【００６２】
（９）本体板５１に厚肉部５１ｃを形成し、この厚肉部５１ｃに取付孔５１ａ，５１ｂを形成するようにした。このため、耐雷カットアウト１に対し固定部材３７により強固に固定することができる。すなわち、耐雷カットアウト１に対し固定部材３７により固定した場合には、雷撃に伴う消弧ガスが外側防止板５３の内面に当たっても、本体板５１が破断して耐雷カットアウト１から脱落することはない。
【００６３】
（１０）汚損防止部材５０における本体板５１及び外側防止板５３の外面に沿って補強部５５を設けた。これにより、自重に伴う経年変形により外側防止板５３が表示筒４８に対向できない位置となることが抑制される。よって、汚損防止部材５０の装着後、長期間に亘って上記（１）の効果を奏することができる。
【００６４】
（１１）内側防止板５２は、本体板５１の上端に対してヒューズ筒４０側に折り曲げるとともに、その先端側にはヒューズ筒４０の周面の一部に対応した凹状の切欠部５２ａが形成されるようにした。これにより、下方向から吹き付ける風及びそれに含まれる塵埃、塩等のヒューズ筒４０内への進入を抑制することができる。また、消弧ガスによってヒューズ筒４０及び耐雷カットアウト１の内部が汚損されることを抑制できる。
【００６５】
なお、上記実施形態は、これを適宜変更した以下の形態にて実施することができる。
・上記実施形態においては、各溝６１，６２ａ〜６２ｆは外側防止板５３の内面に形成したが、両溝６１，６２ａ〜６２ｆは外側防止板５３の外面に形成してもよい。また、内面および外面の両面に形成してもよい。すなわち、各溝は少なくとも一方に複数してもよい。このように構成しても上記実施形態と同様の効果を奏することができる。
【００６６】
・上記実施形態は、外側防止板５３の内面における特定の領域が破断部６０として区画するようにしたが、区画を外面に形成してもよい。また、内面および外面の両面に形成してもよい。すなわち、区画は少なくとも一方に形成してもよい。このように構成しても上記実施形態と同様の効果を奏することができる。
【００６７】
・上記実施形態においては、図５（ａ）に示すように、各溝は断面凹状に形成されていたが、溝の形状はこれに限らず、例えば鋭角側が下側を向いた断面三角形状に形成してもよい。
【００６８】
・各溝６１，６２ａ〜６２ｆの本数や形成範囲は、上記実施形態に限らず、例えば図６（ａ）〜（ｆ）及び図７（ａ）〜（ｆ）の構成であってもよい。
具体的には、図６（ａ）に示すように、第１の溝６１を同図の上下方向に延びる端面まで形成してもよい。また、外側防止板５３における左右方向の中央部のみ第１の溝６１を形成しなくてもよい。
【００６９】
また、図６（ｂ）に示すように、第２の溝６２ａ〜６２ｄの端部を同図の左右方向に延びる端面に対して一定距離を保った位置まで形成してもよい。
さらに、図６（ｃ）に示すように、第１の溝６１を省略し、４本の第２の溝６２ａ〜６２ｄのみ形成してもよい。また、溝の数は複数に限らず単数形成してもよい。
【００７０】
また、図６（ｄ）に示すように、第１の溝６１を等間隔毎に複数設け、第２の溝６２ａ，６２ｂを各第１の溝６１の両端部に接するように２本形成してもよい。
また、図６（ｅ）に示すように、第２の溝６２ａ，６２ｂを外側防止板５３の中央付近に１対形成し、複数の第１の溝６１を各第２の溝６２ａ，６２ｂと上下方向に延びる端面との間に形成してもよい。
【００７１】
また、図６（ｆ）に示すように、第１の溝６１と、第２の溝６２ａ〜６２ｃとをそれぞれ３本ずつ形成し、これら溝により区画される各領域をほぼ同じ面積としてもよい。
また、図７（ａ）に示すように、各溝６１，６２ａ〜６２ｃにより区画される各領域内に傾斜した新たな溝６８を設けてもよい。
【００７２】
また、図７（ｂ）に示すように、各第２の溝６２ａ〜６２ｆ間における第１の溝６１を上下方向に異なる位置に形成してもよい。
また、図７（ｃ）に示すように、内側溝６６を省略して外側溝６５のみで構成してもよい。
【００７３】
また、図７（ｄ）に示すように、外側溝６５内に、内側溝６６に代えて傾斜した新たな溝６８を複数形成してもよい。
また、図７（ｅ）に示すように、外側溝６５を左右方向に一対形成し、各外側溝６５内に互いに交差する２つの傾斜した新たな溝６９を形成してもよい。
【００７４】
また、図７（ｆ）に示すように、溝が形成されている領域と、溝が形成されていない領域とを連続的に繰り返してもよい。本構成であっても、溝の延出方向に沿って外側防止板５３が破断することができる。
【００７５】
上記何れの構成であっても、雷撃時の消弧ガスによって外側防止板５３を溝により破断させることができるので、上記実施形態における（１）と同様の効果が得られる。
【符号の説明】
【００７６】
１…耐雷カットアウト、１０…本体碍子、３０…蓋体碍子、３７…固定部材、４０…ヒューズ筒、４８…表示筒、５０…汚損防止部材、５１…本体板、５２…内側防止板、５３…外側防止板、６１…第１の溝、６２ａ〜６２ｆ…第２の溝、６５…外側溝、６６…内側溝。
【図１】
2013196962.tif 000003
【図２】
2013196962.tif 000004
【図３】
2013196962.tif 000005
【図４】
2013196962.tif 000006
【図５】
2013196962.tif 000007
【図６】
2013196962.tif 000008
【図７】
2013196962.tif 000009
【図８】
2013196962.tif 000010